(57)【特許請求の範囲】
【請求項１】
他の携帯端末装置との間に形成された小グループ内においてアクセスポイントを介在させることなく互いに直接的に無線接続された状態で無線通信を行うための第１通信部と、
前記小グループを構成する前記他の携帯端末装置と略同じタイミングでコンテンツデータを再生することが可能に構成された制御部とを備え、
前記制御部は、前記コンテンツデータを再生する最中に、前記コンテンツデータを視聴する第１ユーザの操作に基づいて前記アクセスポイントを介在させることなく相互に直接的に無線接続された状態の前記他の携帯端末装置に向けて再生中の前記コンテンツデータに対する前記第１ユーザの第１コメント情報を前記第１通信部により送信する制御を行うとともに、前記他の携帯端末装置において前記コンテンツデータを視聴する第２ユーザから送信された再生中の前記コンテンツデータに対する前記第２ユーザの第２コメント情報を、前記他の携帯端末装置と前記アクセスポイントを介在させることなく相互に直接的に無線接続された状態で前記第１通信部により受信する制御を行うように構成されている、携帯端末装置。
【請求項２】
前記他の携帯端末装置と略同じタイミングで前記コンテンツデータを再生するための時間情報を、前記他の携帯端末装置との間で共有するように構成されており、
前記第１コメント情報は、前記第１コメント情報を発信する前記第１ユーザの感情を表現する第１文字コメントデータを含み、
前記第２コメント情報は、前記第２コメント情報を発信する前記第２ユーザの感情を表現する第２文字コメントデータを含み、
前記再生中のコンテンツデータと前記第１文字コメントデータと前記第２文字コメントデータとを表示するための表示部をさらに備え、
前記制御部は、前記コンテンツデータを再生する最中に、前記第１ユーザの操作に基づいて前記他の携帯端末装置に向けて前記第１文字コメントデータを送信するとともに、前記第１文字コメントデータを前記コンテンツデータとともに前記表示部に表示させ、かつ、前記他の携帯端末装置から前記コンテンツデータに対する前記第２文字コメントデータを受信した場合に、受信された前記第２文字コメントデータを前記コンテンツデータとともに前記表示部に表示させる制御を行うように構成されている、請求項１に記載の携帯端末装置。
【請求項３】
前記第１コメント情報は、前記第１文字コメントデータに加えて、前記第１コメント情報を発信する前記第１ユーザを特定することが可能な第１ユーザ識別情報をさらに含み、
前記第２コメント情報は、前記第２文字コメントデータに加えて、前記第２コメント情報を発信する前記第２ユーザを特定することが可能な第２ユーザ識別情報を含み、
前記制御部は、前記第１文字コメントデータと前記第１ユーザ識別情報とを対応付けて前記他の携帯端末装置に送信するとともに、前記第２文字コメントデータと前記第２ユーザ識別情報とを対応付けて受信して前記表示部に表示させる制御を行うように構成されている、請求項２に記載の携帯端末装置。
【請求項４】
前記第１ユーザ識別情報は、前記第１ユーザを連想させる図柄でかつ前記第１ユーザの感情を表現する図柄からなる第１画像データを含み、
前記第２ユーザ識別情報は、前記第２ユーザを連想させる図柄でかつ前記第２ユーザの感情を表現する図柄からなる第２画像データを含む、請求項３に記載の携帯端末装置。
【請求項５】
前記第１画像データは、前記第１ユーザの感情の種類および感情の程度の少なくとも感情の種類を予め設定可能であるように構成されており、
少なくとも感情の種類に対応する複数の前記第１画像データの各々と対応付けて、複数の前記第１文字コメントデータを予め設定可能に構成されている、請求項４に記載の携帯端末装置。
【請求項６】
記憶部をさらに備え、
前記第１ユーザの第１コメント情報は、前記第１ユーザにより予め設定された状態で前記記憶部に記憶されている、請求項１〜５のいずれか１項に記載の携帯端末装置。
【請求項７】
前記他の携帯端末装置との間に前記小グループを形成する際に前記アクセスポイントを介在させることなく互いに直接的に無線接続された状態で無線通信を行うための第２通信部をさらに備え、
前記制御部は、前記第１ユーザの操作に基づいて前記他の携帯端末装置との間において前記小グループを形成するための動作モードを起動する制御を行うとともに、前記小グループを形成するための動作モードが起動された状態で、前記他の携帯端末装置との間で前記第２通信部により前記アクセスポイントを介在させることなく相互に直接的に無線接続された状態で無線通信を行うことにより、前記携帯端末装置間に前記小グループを形成する制御を行うように構成されており、
前記制御部は、前記他の携帯端末装置との間に前記小グループを形成する際、前記他の携帯端末装置と略同じタイミングで前記コンテンツデータを再生するための時間情報を、前記第２通信部により前記他の携帯端末装置に向けて送信するかまたは前記他の携帯端末装置から受信することにより、前記他の携帯端末装置との間で前記時間情報を共有する状態を確立する制御を行うように構成されている、請求項１〜６のいずれか１項に記載の携帯端末装置。
【請求項８】
前記他の携帯端末装置から前記時間情報を受信することにより前記他の携帯端末装置との間で前記時間情報を共有する場合に、前記小グループがまだ形成されていない前記他の携帯端末装置に対して前記第２通信部により直接的な無線通信を行うことにより、順次前記時間情報を共有する前記携帯端末装置を増加して前記小グループを形成するように構成されている、請求項７に記載の携帯端末装置。
【請求項９】
表示部をさらに備え、
前記他の携帯端末装置と略同じタイミングで前記コンテンツデータを再生するための時間情報を、前記他の携帯端末装置との間で共有するように構成されており、
前記制御部は、前記コンテンツデータを再生する最中に、前記他の携帯端末装置との間で共有する前記時間情報に基づいて、前記第１通信部により前記他の携帯端末装置に向けて前記再生中のコンテンツデータに対する前記第１ユーザの第１コメント情報を送信した時間、および、前記第１通信部により前記他の携帯端末装置から前記第２ユーザの第２コメント情報を受信した時間に合わせて、前記第１コメント情報および前記第２コメント情報を前記表示部に表示する制御を行うように構成されている、請求項１〜８のいずれか１項に記載の携帯端末装置。
【請求項１０】
記憶部をさらに備え、
前記他の携帯端末装置と略同じタイミングで前記コンテンツデータを再生するための時間情報を、前記他の携帯端末装置との間で共有するように構成されており、
前記制御部は、前記第１ユーザの前記第１コメント情報を、前記他の携帯端末装置との間で共有する前記時間情報に基づいて、前記コンテンツデータの再生時間と前記第１ユーザの前記第１コメント情報の送信時間とを関連付けた状態で、前記記憶部に記憶する制御を行うように構成されており、
前記制御部は、前記第２ユーザの前記第２コメント情報を、前記時間情報に基づいて、前記コンテンツデータの再生時間と前記第２ユーザの前記第２コメント情報の受信時間とを関連付けた状態で、前記記憶部に記憶する制御を行うように構成されている、請求項１〜９のいずれか１項に記載の携帯端末装置。
【請求項１１】
前記制御部は、ユーザによる個別の前記コンテンツデータの再生操作に基づいて、前記記憶部に記憶されている前記第１ユーザの前記第１コメント情報を、前記コンテンツデータの再生時間に基づき前記コンテンツデータの再生と同時に再生する制御を行うように構成されている、請求項１０に記載の携帯端末装置。
【請求項１２】
複数の携帯端末装置間においてアクセスポイントを介在させることなく互いに直接的に無線接続された状態で無線通信を行うことが可能な小グループを形成するステップと、
前記小グループを構成する複数の前記携帯端末装置の各々が、略同じタイミングでコンテンツデータを再生するステップと、
前記コンテンツデータを再生する最中に、前記コンテンツデータを視聴する第１ユーザの操作に基づいて前記アクセスポイントを介在させることなく相互に直接的に無線接続された状態の前記第１ユーザ以外の第２ユーザが所有する携帯端末装置に向けて再生中の前記コンテンツデータに対する前記第１ユーザの第１コメント情報を送信するとともに前記第１コメント情報を前記第２ユーザが所有する携帯端末装置が受信し、かつ、前記コンテンツデータを視聴する前記第２ユーザの操作に基づいて前記アクセスポイントを介在させることなく相互に直接的に無線接続された状態の前記第１ユーザが所有する携帯端末装置に向けて再生中の前記コンテンツデータに対する前記第２ユーザの第２コメント情報を送信するとともに前記第２コメント情報を前記第１ユーザが所有する携帯端末装置が受信するステップとを備える、携帯端末装置間の通信方法。
【発明の詳細な説明】
【技術分野】
【０００１】
この発明は、携帯端末装置および携帯端末装置間の通信方法に関し、特に、複数の携帯端末装置間においてコンテンツデータを同時に再生することが可能に構成された制御部を備えた携帯端末装置および携帯端末装置間の通信方法に関する。
【背景技術】
【０００２】
従来、複数の端末装置間においてコンテンツデータを同時に再生することが可能に構成された携帯端末装置などが知られている（たとえば、特許文献１〜３参照）。
【０００３】
上記特許文献１には、コントローラ端末と、このコントローラ端末とネットワークを介して接続された複数のプレーヤ端末との間で、コンテンツデータを相互に共有することが可能に構成されたデータシェアリングシステムが開示されている。このデータシェアリングシステムでは、ネットワーク通信を利用することにより、互いに離れた場所に存在するコントローラ端末および複数のプレーヤ端末の各々が個別に所有するコンテンツデータを、コントローラ端末側で「同時再生データ順リスト」を作成して一括して管理するように構成されている。これにより「同時再生データ順リスト」に基づいて任意の端末が所有するコンテンツデータを他の端末の各々において同時再生を行う際、再生するコンテンツデータを所有している端末からこのコンテンツデータを所有していない端末に向けてコンテンツデータを配信した後に、全ての端末が共有する同期時間に基づいてコンテンツデータを同時に再生することが可能に構成されている。
【０００４】
また、上記特許文献２には、ネットワークを介して接続された複数の映像表示装置間において、各々の映像表示装置が同じ映像コンテンツを同期の取れたタイミングで再生することが可能に構成された映像コンテンツ表示システムが開示されている。この映像コンテンツ表示システムでは、異なる地域に存在する複数の映像表示装置の各々が、ネットワーク上に設けられた映像コンテンツの配信元に個別にアクセスして映像コンテンツをダウンロードした後に、複数の映像表示装置が共有する同期時間に基づいて映像コンテンツを同時に再生することが可能に構成されている。
【０００５】
また、上記特許文献３には、互いに離れた場所に存在する操作端末と複数の表示装置とがネットワークを介して接続された環境下において、各々の表示装置が同じコンテンツを同期の取れた状態で表示（再生）することが可能に構成された同期表示システムが開示されている。この同期表示システムでは、コンテンツの再生開始時に、操作端末が複数の表示装置の各々に向けて予めコンテンツを配信する際に要した通信時間（通信遅延時間）を考慮した状態で再生開始時間が設定されるように構成されている。これにより、この同期表示システムでは、表示装置間において、より高精度に同期された状態で、各々のコンテンツが表示（再生）されるように構成されている。
【先行技術文献】
【特許文献】
【０００６】
【特許文献１】特開２００７−１３７０４号公報
【特許文献２】特開２００８−４２５１６号公報
【特許文献３】特開２００９−１７７５９１号公報
【発明の概要】
【発明が解決しようとする課題】
【０００７】
しかしながら、上記特許文献１に記載のデータシェアリングシステムでは、コントローラ端末またはプレーヤ端末の各端末において同じコンテンツデータが同時に再生される際、各端末を所有するユーザ（視聴者）は、再生中のコンテンツデータを一方的に視聴する行為に留まりがちになると考えられる。すなわち、各々のユーザが同じコンテンツデータを同時再生の状態で視聴する場合であっても、端末同志が物理的に離れた位置関係を有するため、同じコンテンツデータを視聴するユーザ同志が、積極的なコミュニケーションを図ることが困難であるという問題点がある。
【０００８】
また、上記特許文献２に記載の映像コンテンツ表示システムについても、上記特許文献１の場合と同様、各々のユーザが同じ映像コンテンツを同時再生の状態で視聴する場合であっても、映像表示装置同志が物理的に離れた位置関係を有するため、同じ映像コンテンツを視聴するユーザ同志が、積極的なコミュニケーションを図ることが困難であるという問題点がある。
【０００９】
また、上記特許文献３に記載の同期表示システムについても、上記特許文献１の場合と同様、各々のユーザが同じコンテンツを同時再生の状態で視聴する場合であっても、映像表示装置同志が物理的に離れた位置関係を有するため、同じコンテンツを視聴するユーザ同志が積極的なコミュニケーションを図ることが困難であるという問題点がある。
【００１０】
この発明は、上記のような課題を解決するためになされたものであり、この発明の１つの目的は、複数の携帯端末装置間において同時再生されたコンテンツデータを視聴するユーザ同志が積極的なコミュニケーションを図ることが可能な携帯端末装置および携帯端末装置間の通信方法を提供することである。
【課題を解決するための手段および発明の効果】
【００１１】
この発明の第１の局面による携帯端末装置は、他の携帯端末装置との間に形成された小グループ内においてアクセスポイントを介在させることなく互いに直接的に無線接続された状態で無線通信を行うための第１通信部と、小グループを構成する他の携帯端末装置と略同じタイミングでコンテンツデータを再生することが可能に構成された制御部とを備え、制御部は、コンテンツデータを再生する最中に、コンテンツデータを視聴する第１ユーザの操作に基づいてアクセスポイントを介在させることなく相互に直接的に無線接続された状態の他の携帯端末装置に向けて再生中のコンテンツデータに対する第１ユーザの第１コメント情報を第１通信部により送信する制御を行うとともに、他の携帯端末装置においてコンテンツデータを視聴する第２ユーザから送信された再生中のコンテンツデータに対する第２ユーザの第２コメント情報を、他の携帯端末装置とアクセスポイントを介在させることなく相互に直接的に無線接続された状態で第１通信部により受信する制御を行うように構成されている。
【００１２】
この発明の第１の局面による携帯端末装置では、上記のように、制御部を、コンテンツデータを再生する最中に、コンテンツデータを視聴する第１ユーザの操作に基づいてアクセスポイントを介在させることなく相互に直接的に無線接続された状態の他の携帯端末装置に向けて再生中のコンテンツデータに対する第１ユーザの第１コメント情報を第１通信部により送信する制御を行うとともに、他の携帯端末装置においてコンテンツデータを視聴する第２ユーザから送信された再生中のコンテンツデータに対する第２ユーザの第２コメント情報を、他の携帯端末装置とアクセスポイントを介在させることなく相互に直接的に無線接続された状態で第１通信部により受信する制御を行うように構成することによって、各携帯端末装置において同じコンテンツデータが同時に再生される際、各々の携帯端末装置を所有するユーザ（第１ユーザおよび第２ユーザ）は、再生中のコンテンツデータを視聴する行為に留められることなく、再生中のコンテンツデータに対する各人のコメント情報を他のユーザに対して携帯端末装置（第１通信部）を介して相互に伝えることができる。すなわち、第１ユーザは第１コメント情報を第２ユーザに対して伝えることができるとともに、第２ユーザは第２コメント情報を第１ユーザに対して伝えることができる。これにより、物理的に離れた別々の携帯端末装置を介して同じコンテンツデータを同時に視聴する状況下であっても、同時再生されたコンテンツデータを視聴するユーザ同志が積極的なコミュニケーションを図ることができる。
【００１３】
上記第１の局面による携帯端末装置において、好ましくは、他の携帯端末装置と略同じタイミングでコンテンツデータを再生するための時間情報を、他の携帯端末装置との間で共有するように構成されており、第１コメント情報は、第１コメント情報を発信する第１ユーザの感情を表現する第１文字コメントデータを含み、第２コメント情報は、第２コメント情報を発信する第２ユーザの感情を表現する第２文字コメントデータを含み、再生中のコンテンツデータと第１文字コメントデータと第２文字コメントデータとを表示するための表示部をさらに備え、制御部は、コンテンツデータを再生する最中に、第１ユーザの操作に基づいて他の携帯端末装置に向けて第１文字コメントデータを送信するとともに、第１文字コメントデータをコンテンツデータとともに表示部に表示させ、かつ、他の携帯端末装置からコンテンツデータに対する第２文字コメントデータを受信した場合に、受信された第２文字コメントデータをコンテンツデータとともに表示部に表示させる制御を行うように構成されている。このように構成すれば、文字形式からなるコメント情報（第１文字コメントデータまたは第２文字コメントデータ）を表示部に表示させる方法により、各ユーザは、再生中のコンテンツデータに対する各ユーザの感情表現を他のユーザに対して容易に伝達することができる。
【００１４】
上記表示部をさらに備える構成において、好ましくは、第１コメント情報は、第１文字コメントデータに加えて、第１コメント情報を発信する第１ユーザを特定することが可能な第１ユーザ識別情報をさらに含み、第２コメント情報は、第２文字コメントデータに加えて、第２コメント情報を発信する第２ユーザを特定することが可能な第２ユーザ識別情報を含み、制御部は、第１文字コメントデータと第１ユーザ識別情報とを対応付けて他の携帯端末装置に送信するとともに、第２文字コメントデータと第２ユーザ識別情報とを対応付けて受信して表示部に表示させる制御を行うように構成されている。このように構成すれば、配信された個々のコメント情報（第１文字コメントデータまたは第２文字コメントデータ）に対してコメントの発信者を特定する情報が反映されるので、ユーザは、コメントの発信者が誰であるかを互いに認識することができる。この結果、ユーザ間のコミュニケーションをより充実させることができる。
【００１５】
上記第１コメント情報が第１ユーザ識別情報を含むとともに第２コメント情報が第２ユーザ識別情報を含む構成において、好ましくは、第１ユーザ識別情報は、第１ユーザを連想させる図柄でかつ第１ユーザの感情を表現する図柄からなる第１画像データを含み、第２ユーザ識別情報は、第２ユーザを連想させる図柄でかつ第２ユーザの感情を表現する図柄からなる第２画像データを含む。このように構成すれば、第１ユーザが持つ喜怒哀楽などの感情を第１画像データを用いて第２ユーザに対して視覚的に訴えながら伝達することができるとともに、第２ユーザが持つ喜怒哀楽などの感情を第２画像データを用いて第１ユーザに対して視覚的に訴えながら伝達することができる。これにより、ユーザ間のコミュニケーションをさらに充実させることができる。
【００１６】
上記第１ユーザ識別情報が第１画像データを含む構成において、好ましくは、第１画像データは、第１ユーザの感情の種類および感情の程度の少なくとも感情の種類を予め設定可能であるように構成されており、少なくとも感情の種類に対応する複数の第１画像データの各々と対応付けて、複数の第１文字コメントデータを予め設定可能に構成されている。このように構成すれば、第１画像データと、第１画像データにより表現される喜怒哀楽などの各々の感情の種類に対応した第１文字コメントデータとが一緒に第２ユーザに向けて発信されるので、第２ユーザは、第１ユーザの現在の感情をより正確かつ詳細に把握することができる。
【００１７】
上記第１の局面による携帯端末装置において、好ましくは、記憶部をさらに備え、第１ユーザの第１コメント情報は、第１ユーザにより予め設定された状態で記憶部に記憶されている。このように構成すれば、第１コメント情報が予め記憶部に記憶された状態で準備されているので、第１ユーザは、自己の感情（リアクション）を発信したいタイミングを逃すことなく第１コメント情報を第２ユーザに対して発信することができる。
【００１８】
上記第１の局面による携帯端末装置において、好ましくは、他の携帯端末装置との間に小グループを形成する際にアクセスポイントを介在させることなく互いに直接的に無線接続された状態で無線通信を行うための第２通信部をさらに備え、制御部は、第１ユーザの操作に基づいて他の携帯端末装置との間において小グループを形成するための動作モードを起動する制御を行うとともに、小グループを形成するための動作モードが起動された状態で、他の携帯端末装置との間で第２通信部によりアクセスポイントを介在させることなく相互に直接的に無線接続された状態で無線通信を行うことにより、携帯端末装置間に小グループを形成する制御を行うように構成されており、制御部は、他の携帯端末装置との間に小グループを形成する際、他の携帯端末装置と略同じタイミングでコンテンツデータを再生するための時間情報を、第２通信部により他の携帯端末装置に向けて送信するかまたは他の携帯端末装置から受信することにより、他の携帯端末装置との間で時間情報を共有する状態を確立する制御を行うように構成されている。このように構成すれば、ユーザ同志が第２通信部による無線通信を行って小グループを形成する行為（操作）が契機となって、コンテンツデータの同時再生を行うことを目的とした小グループの形成を容易に行うことができる。また、第２通信部による無線通信の際に、コンテンツデータを同時再生する際に必要となる時間情報が、小グループの形成時に、一方の携帯端末装置から他方の携帯端末装置に対して受け渡されるので、コンテンツデータの同時再生に伴う機器の環境設定を、小グループの形成と同時に容易に行うことができる。
【００１９】
上記第２通信部をさらに備える構成において、好ましくは、他の携帯端末装置から時間情報を受信することにより他の携帯端末装置との間で時間情報を共有する場合に、小グループがまだ形成されていない他の携帯端末装置に対して第２通信部により直接的な無線通信を行うことにより、順次時間情報を共有する携帯端末装置を増加して小グループを形成するように構成されている。このように構成すれば、たとえば１人のユーザが所有する１台の携帯端末装置を広範囲に移動させて他の全ての携帯端末装置との間で小グループを順次形成する場合と比較して、小グループを形成済みの携帯端末装置とこの携帯端末装置の近傍に存在する小グループがまだ形成されていない携帯端末装置との間で順次無線通信を繰り返すことができる分、特定のユーザに過度な負担をかけることなく、かつ、比較的短時間で小グループの形成を行うことができる。
【００２０】
上記第１の局面による携帯端末装置において、好ましくは、表示部をさらに備え、他の携帯端末装置と略同じタイミングでコンテンツデータを再生するための時間情報を、他の携帯端末装置との間で共有するように構成されており、制御部は、コンテンツデータを再生する最中に、他の携帯端末装置との間で共有する時間情報に基づいて、第１通信部により他の携帯端末装置に向けて再生中のコンテンツデータに対する第１ユーザの第１コメント情報を送信した時間、および、第１通信部により他の携帯端末装置から第２ユーザの第２コメント情報を受信した時間に合わせて、第１コメント情報および第２コメント情報を表示部に表示する制御を行うように構成されている。このように構成すれば、ユーザから発信されたコメント情報を、ユーザが発信した時間（タイミング）に対応するコンテンツデータの場面に的確に反映させて表示部に表示させることができるので、ユーザは、再生中のコンテンツデータの各場面における各人のコメントを、他のユーザに対して確実に伝達することができる。
【００２１】
上記第１の局面による携帯端末装置において、好ましくは、記憶部をさらに備え、他の携帯端末装置と略同じタイミングでコンテンツデータを再生するための時間情報を、他の携帯端末装置との間で共有するように構成されており、制御部は、第１ユーザの第１コメント情報を、他の携帯端末装置との間で共有する時間情報に基づいて、コンテンツデータの再生時間と第１ユーザの第１コメント情報の送信時間とを関連付けた状態で、記憶部に記憶する制御を行うように構成されており、制御部は、第２ユーザの第２コメント情報を、時間情報に基づいて、コンテンツデータの再生時間と第２ユーザの第２コメント情報の受信時間とを関連付けた状態で、記憶部に記憶する制御を行うように構成されている。このように構成すれば、各ユーザのコメント情報がコンテンツデータの再生時間と関連付けられた状態で記憶部に記憶されるので、コンテンツデータの視聴終了後においても、各ユーザが発信したコメント情報を、コンテンツデータが有する数々の場面に対応させて繰り返し確認することができる。
【００２２】
上記記憶部をさらに備える構成において、好ましくは、制御部は、ユーザによる個別のコンテンツデータの再生操作に基づいて、記憶部に記憶されている第１ユーザの第１コメント情報を、コンテンツデータの再生時間に基づきコンテンツデータの再生と同時に再生する制御を行うように構成されている。このように構成すれば、記憶部に記憶されたユーザ同志のコミュニケーションの様子を、別な時間に容易に確認（検証）することができる。
【００２３】
この発明の第２の局面による携帯端末装置間の通信方法は、複数の携帯端末装置間においてアクセスポイントを介在させることなく互いに直接的に無線接続された状態で無線通信を行うことが可能な小グループを形成するステップと、小グループを構成する複数の携帯端末装置の各々が、略同じタイミングでコンテンツデータを再生するステップと、コンテンツデータを再生する最中に、コンテンツデータを視聴する第１ユーザの操作に基づいてアクセスポイントを介在させることなく相互に直接的に無線接続された状態の第１ユーザ以外の第２ユーザが所有する携帯端末装置に向けて再生中のコンテンツデータに対する第１ユーザの第１コメント情報を送信するとともに第１コメント情報を第２ユーザが所有する携帯端末装置が受信し、かつ、コンテンツデータを視聴する第２ユーザの操作に基づいてアクセスポイントを介在させることなく相互に直接的に無線接続された状態の第１ユーザが所有する携帯端末装置に向けて再生中のコンテンツデータに対する第２ユーザの第２コメント情報を送信するとともに第２コメント情報を第１ユーザが所有する携帯端末装置が受信するステップとを備える。
【００２４】
この発明の第２の局面による携帯端末装置間の通信方法では、上記のように、コンテンツデータを再生する最中に、第１ユーザの操作に基づいてアクセスポイントを介在させることなく相互に直接的に無線接続された状態の第２ユーザが所有する携帯端末装置に向けて再生中のコンテンツデータに対する第１ユーザの第１コメント情報を送信するとともにその第１コメント情報を第２ユーザが所有する携帯端末装置が受信し、かつ、第２ユーザの操作に基づいてアクセスポイントを介在させることなく相互に直接的に無線接続された状態の第１ユーザが所有する携帯端末装置に向けて再生中のコンテンツデータに対する第２ユーザの第２コメント情報を送信するとともにその第２コメント情報を第１ユーザが所有する携帯端末装置が受信するステップを備えることによって、各携帯端末装置において同じコンテンツデータが同時に再生される際、各々の携帯端末装置を所有するユーザ（第１ユーザおよび第２ユーザ）は、再生中のコンテンツデータを視聴する行為に留められることなく、再生中のコンテンツデータに対する各人のコメント情報を他のユーザに対して携帯端末装置を介して相互に伝えることができる。すなわち、第１ユーザは第１コメント情報を第２ユーザに対して伝えることができるとともに、第２ユーザは第２コメント情報を第１ユーザに対して伝えることができる。これにより、物理的に離れた別々の携帯端末装置を介して同じコンテンツデータを同時に視聴する状況下であっても、同時再生されたコンテンツデータを視聴するユーザ同志が積極的なコミュニケーションを図ることができる。
【図面の簡単な説明】
【００２５】
【図１】本発明の第１実施形態による携帯電話機の構成を示した図である。
【図２】本発明の第１実施形態による携帯電話機の構成を示したブロック図である。
【図３】本発明の第１実施形態による携帯電話機を用いてアドホックネットワークを形成した例を示した図である。
【図４】本発明の第１実施形態による携帯電話機を用いてアドホックネットワークを形成する際のグループ形成モードに切り換える際の操作方法を示した図である。
【図５】本発明の第１実施形態による携帯電話機を用いてアドホックネットワークを形成するための赤外線通信を行う際の送受信の様子を示したブロック図である。
【図６】本発明の第１実施形態による携帯電話機を用いてコンテンツデータを同時再生する際の表示部の様子を示した図である。
【図７】本発明の第１実施形態による携帯電話機により通信機能の設定を行う際の操作方法を示した図である。
【図８】本発明の第１実施形態による携帯電話機により通信機能に関するコメント情報の設定内容を示した図である。
【図９】本発明の第１実施形態による携帯電話機により通信機能に関するコメント情報の設定内容を示した図である。
【図１０】本発明の第１実施形態による携帯電話機を用いてコンテンツデータを同時再生する際の制御フローを示した図である。
【図１１】本発明の第１実施形態による携帯電話機を用いてコンテンツデータを同時再生する際のユーザ間のコミュニケーション方法に関する制御フローを示した図である。
【図１２】本発明の第１実施形態による携帯電話機を用いてコンテンツデータを同時再生する際の制御フローを示した図である。
【図１３】本発明の第２実施形態による携帯電話機を用いてコンテンツデータを同時再生する際の表示部の様子を示した図である。
【発明を実施するための形態】
【００２６】
以下、本発明を具体化した実施形態を図面に基づいて説明する。
【００２７】
（第１実施形態）
まず、図１〜図９を参照して、本発明の第１実施形態による携帯電話機１０１の構成について説明する。なお、第１実施形態では、本発明の携帯端末装置の一例として、デジタル動画（映像）や静止画などのコンテンツデータ７０を再生しながら表示する表示部１０を備えた携帯電話機１０１に、本発明を適用した場合について説明する。
【００２８】
本発明の第１実施形態による携帯電話機１０１は、図１に示すように、樹脂製の上部筐体９０と、樹脂製の下部筐体９１とにより構成されている。そして、携帯電話機１０１では、上部筐体９０と下部筐体９１とが平面的に完全に重ねられた状態から、下部筐体９１に対して上部筐体９０を上方向（矢印Ｐ方向）にスライドさせることにより、ユーザが携帯電話機として使用することが可能に構成されている。なお、上部筐体９０は、図１に示した状態から反時計回りに９０°回転させた状態で使用することも可能であるように構成されている（図３参照）。
【００２９】
また、図１に示すように、携帯電話機１０１の上部筐体９０には、前面側（紙面手前側）に設けられた液晶画面からなる表示部１０と、表示部１０の下方に配置された複数のボタンからなる入力部２０と、表示部１０の上方に配置され、通話相手の音声などを出力する音声出力部３０とが設けられている。また、下部筐体９１には、スライド時に露出するように配置された複数のボタンからなる入力部２１と、ユーザの声などを集音する音声入力部４０とが設けられている。また、下部筐体９１の側部には、ヘッドホン５０を端子接続することが可能に構成されている。また、図２に示すように、下部筐体９１（図１参照）の内部には、携帯電話機１０１が端末装置としての種々の処理を行うための制御回路部６０が内蔵されている。
【００３０】
また、図１に示すように、入力部２０は、メニューボタン２０ａと、通話ボタン２０ｂと、メール起動ボタン２０ｃと、十字キーからなる選択操作ボタン２０ｄと、入力操作を取り消す（元に戻す）際のクリアボタン２０ｅとを含んでいる。また、入力部２１は、通話時に電話番号を入力したりメール作成時に文字を入力したりするための複数（１２個）の入力テンキー２１ａにより構成されている。
【００３１】
また、図２に示すように、制御回路部６０は、制御処理を統括するＣＰＵからなる制御部６１と、通常の携帯電話としての無線通信を行う電話通信部６２と、他の携帯電話機との間で通常の電話通信とは異なる方法により通信処理を行う赤外線通信部６３および無線通信部６４と、制御部６１が実行可能な制御プログラムなどが格納されているＲＯＭ（読取り専用記憶装置）６５と、制御時に生成される一時的なデータや、音声を含むデジタル動画または静止画などから構成されるコンテンツデータ７０を記憶可能なフラッシュＲＯＭ（不揮発性ＲＯＭメモリ）６６とによって構成されている。また、制御回路部６０は、表示部１０、入力部２０および２１、音声出力部３０および音声入力部４０に対して制御部６１を介して電気的に接続されている。なお、無線通信部６４は、本発明の「第１通信部」の一例であり、赤外線通信部６３は、本発明の「第２通信部」の一例である。また、フラッシュＲＯＭ６６は、本発明の「記憶部」の一例である。
【００３２】
したがって、携帯電話機１０１では、制御部６１によって、フラッシュＲＯＭ６６に記憶されているコンテンツデータ７０を表示部１０および音声出力部３０に出力しながら再生することが可能に構成されている。なお、ユーザがヘッドホン５０を接続することにより、音声がヘッドホン５０を介してユーザに伝えられるように構成されている。
【００３３】
ここで、第１実施形態では、図３に示すように、携帯電話機１０１は、無線通信部６４を機能させることにより、他の携帯電話機１０２、１０３および１０４の各々の携帯電話機との間で相互に接続してアドホックネットワークを形成することが可能に構成されている。このアドホックネットワークとは、コンピュータなどの無線接続に広く用いられているＩＥＥＥ８０２．１１ｘ規格やＢｌｕｅｔｏｏｔｈ規格などの無線通信技術を用いながら複数の端末局をアクセスポイントを介在させることなく相互に接続する形態（マルチホップ通信）として知られている。したがって、携帯電話機１０１〜１０４は、アドホックネットワークによって、基地局やアクセスポイントなどが整備されていない場所（たとえばバスや列車の車内や、公園の広場などの限られた域内）において、簡易なネットワークを形成することが可能に構成されている。なお、本発明では、携帯電話機１０２、１０３および１０４についても、上述した携帯電話機１０１と同様の構成を有していることを想定している。なお、アドホックネットワークは、本発明の「小グループ」の一例であり、携帯電話機１０２、１０３および１０４は、本発明の「他の携帯端末装置」の一例である。また、第１実施形態では、携帯電話機１０１を所有するユーザが、本発明の「第１ユーザ」に対応するとともに、携帯電話機１０２〜１０４の各々を所有するユーザが、本発明の「第２ユーザ」に対応した状態を想定して説明を行う。
【００３４】
したがって、携帯電話機１０１〜１０４がアドホックネットワークを形成した場合、たとえば、図３に示すように、携帯電話機１０１が所有するコンテンツデータ７０を他の携帯電話機１０２、１０３および１０４の各々に対して無線通信部６４（図２参照）を介して配信することにより、コンテンツデータ７０の配信後には、４台の携帯電話機１０１〜１０４の各々が、同じコンテンツデータ７０を再生することが可能に構成されている。
【００３５】
また、第１実施形態では、４台の携帯電話機１０１〜１０４において同じコンテンツデータ７０を再生するためのアドホックネットワークを形成する際、携帯電話機１０１が有する機器ＩＤおよび時間情報を赤外線通信部６３（図２参照）を介して他の携帯電話機１０２、１０３および１０４の各々に予め送信するように構成されている。ここで、携帯電話機１０１が有する機器ＩＤとは、たとえば、携帯電話機１０１の物理アドレスや電話番号であってもよいし、ユーザが携帯電話機１０１に登録している名前などであってもよく、他の携帯電話機との間で識別することが可能な情報を示している。そして、図４に示すように、たとえば、携帯電話機１０１および１０２において、メニューボタン２０ａおよび選択操作ボタン２０ｄを操作することにより、設定画面８１を介して各々の携帯電話機を「グループ形成モード」に切り換えた後、図５に示すように各々の赤外線通信部６３を約５ｃｍ〜約１５ｃｍの間隔で向かい合わせた状態で選択操作ボタン２０ｄを押下することにより、赤外線通信によりアドホックネットワークが形成されて、携帯電話機１０１が有する機器ＩＤおよび時間情報が携帯電話機１０２に受け渡されるように構成されている。また、この際、携帯電話機１０２から携帯電話機１０１に対しても携帯電話機１０２が有する機器ＩＤが送信されるように構成されている。これにより、携帯電話機１０１と１０２とが互いに小グループの構成メンバーであることを認識するように構成されている。なお、グループ形成モードは、本発明の「小グループを形成するための動作モード」の一例である。
【００３６】
また、第１実施形態では、アドホックネットワークを形成する際、ネットワークを形成済みの携帯電話機１０２が、ネットワークまだ形成されていない携帯電話機１０３や１０４に対して上記した「グループ形成モード」の状態で、携帯電話機１０１が有する機器ＩＤおよび時間情報（後述する「マスター時間」）と、携帯電話機１０２の機器ＩＤとを順次受け渡すことが可能に構成されている。なお、携帯電話機１０１では、「グループ形成モード」に切り換わった直後に、上記した時間情報（マスター時間）のカウントを開始するように構成されている。そして、携帯電話機１０１が他の携帯電話機とアドホックネットワークを確立する際に、携帯電話機１０１は、アドホックネットワークを確立した時点におけるカウント開始済みの時間情報を、他の携帯電話機に対して送信するように構成されている。また、カウント開始済みの時間情報を受信した他の携帯電話機（１０２〜１０４）では、受信した時間情報からカウントを開始するように構成されている。このようにして、携帯電話機１０１〜１０４の間でアドホックネットワークを形成してコンテンツデータ７０を同時再生するための時間情報を共有するように構成されている。
【００３７】
また、第１実施形態では、図５に示すように、アドホックネットワークの形成後は、携帯電話機１０１が所有するコンテンツデータ７０を無線通信部６４を介して携帯電話機１０２〜１０４に対して配信するように構成されている。そして、携帯電話機１０２〜１０４は、携帯電話機１０１から配信されたコンテンツデータ７０を再生する際、この時間情報に基づいて、携帯電話機１０１がコンテンツデータ７０を再生するタイミングに同期した状態で各々が再生を行うことが可能に構成されている。このようにして、アドホックネットワークで結ばれた各々の携帯電話機を所有するユーザは、各々の携帯電話機（１０１、１０２、１０３および１０４）における表示部１０からの視覚と音声出力部３０（ヘッドホン５０）による聴覚とを通じて、共通のコンテンツデータ７０を同時に視聴することが可能とされている。なお、携帯電話機１０１が有する時間情報、および、携帯電話機１０２〜１０４の各々が携帯電話機１０１から受け取った時間情報は、共に、本発明の「コンテンツデータを再生するための時間情報」の一例に対応している。
【００３８】
ここで、アドホックネットワークの環境下において携帯電話機１０１〜１０４が同じコンテンツデータ７０を同時再生している最中に、そのうちの１台の携帯電話機（たとえば携帯電話機１０１）のユーザが、コンテンツデータ７０を任意の時点まで巻き戻すことにより視聴後の場面を再び視聴したい場合が想定される。第１実施形態では、巻き戻し再生を行いたいユーザの操作に基づいて、他の携帯電話機においても一斉にコンテンツデータ７０を巻き戻した状態から視聴することが可能であるように構成されている。このような場合においても、携帯電話機間で時間情報を共有することにより、この時間情報に基づいて、同じ位置（再生時間）に巻き戻されたコンテンツデータ７０を同じタイミングで再生することが可能となる。なお、上記した「一斉巻き戻し操作」については、巻き戻しを実行する前に、巻き戻し操作を行いたいユーザから他のユーザに対して一斉巻き戻し操作を行うことに対する可否を問い合わせる通信が無線通信部６４を介して行われるように構成されている。この場合、他の全てのユーザから一斉巻き戻し操作を許可する許可信号を受信した後に「一斉巻き戻し操作」が実行されるように構成されるのが好ましい。
【００３９】
また、第１実施形態では、携帯電話機１０１〜１０４の各々には、アドホックネットワークの環境下において携帯電話機１０１〜１０４が同じコンテンツデータ７０を同時再生している最中であっても、ユーザが所定のキー操作（たとえばクリアボタン２０ｅ（図１参照）を押下する操作など）を行うことにより、一時的に同時再生のモードから抜け出すことが可能に構成されている。この場合、同時再生のモードから抜け出したユーザは、他のユーザの視聴状況に関係なく自己の携帯電話機においてコンテンツデータ７０の巻き戻し再生を行うことが可能となる。なお、一時的に同時再生のモードから抜け出したユーザは、所定のキー操作（たとえばクリアボタン２０ｅ（図１参照）を再度押下する操作など）を行うことにより、再び、同時再生のモードに復帰するように構成されている。このような場合においても、共有する時間情報に基づいた再生動作が実行されるので、同時再生モードに復帰したユーザは、他の携帯電話機において同時再生中の場面からコンテンツデータ７０を視聴するように構成されている。
【００４０】
また、第１実施形態では、コンテンツデータ７０を同時再生する際、図６に示すように、携帯電話機１０１の表示部１０には、再生される動画（映像コンテンツ）を表示する動画表示領域１１と、動画表示領域１１の４隅に設けられたコミュニケーション表示領域１２ａ〜１２ｄ（破線枠内で示す）とが配置されるように構成されている。この４箇所のコミュニケーション表示領域１２ａ〜１２ｄには、アドホックネットワークを構成するメンバー（携帯電話機１０１、１０２、１０３および１０４の各ユーザ）のキャラクタ画像１〜４（第１実施形態では、各ユーザを連想したり特定したりすることが可能な似顔絵画像とする）がそれぞれ表示されるように構成されている。ここで、携帯電話機１０１のユーザは、コミュニケーション表示領域１２ａに静止画からなるキャラクタ画像１として表示されるとともに、携帯電話機１０２のユーザは、コミュニケーション表示領域１２ｂに静止画からなるキャラクタ画像２として表示される。同様に、携帯電話機１０３のユーザは、コミュニケーション表示領域１２ｃに静止画からなるキャラクタ画像３として表示されるとともに、携帯電話機１０４のユーザは、コミュニケーション表示領域１２ｄに静止画からなるキャラクタ画像４として表示される。
【００４１】
また、キャラクタ画像１（２〜４）は、ユーザの感情を表現するための複数の画像データにより構成されている。また、複数の画像データからなるキャラクタ画像１（２〜４）は、ユーザの操作によって予め設定可能であるように構成されている。なお、キャラクタ画像１は、本発明の「第１画像データ」の一例であり、キャラクタ画像２〜４は、それぞれ、本発明の「第２画像データ」の一例である。
【００４２】
すなわち、図７に示すように、たとえば、携帯電話機１０１において、メニューボタン２０ａおよび選択操作ボタン２０ｄを操作することにより、設定画面８２を介して携帯電話機１０１を「通信機能設定モード」に切り換えた後、図８に示すような設定画面８３を参照しながら複数のキャラクタ画像１（画像１ａ〜１ｄ）を作成することが可能に構成されている。
【００４３】
図８に示すように、キャラクタ画像１を例に説明すると、設定画面８３では、携帯電話機１０１のユーザが持つ喜怒哀楽などの様々な感情に対応するような画像１ａ〜１ｄがユーザにより設定可能であるように構成されている。ここで、画像１ａは、ユーザの「嬉しさ」の感情を表現する表情を有した画像であり、画像１ｂは、ユーザの「怒り」の感情を表現する表情を有した画像に設定されている。また、画像１ｃは、ユーザの「哀しさ」の感情を表現する表情を有した画像であり、画像１ｄは、ユーザの「楽しさ」の感情を表現する表情を有した画像に設定されている。なお、キャラクタ画像２〜４（図６参照）についても、各々のユーザが持つ喜怒哀楽などの感情に対応して、上述した画像１ａ〜１ｄと同様の種類の画像を各々の携帯電話機において予め設定可能であるように構成されている。なお、画像１ａ〜１ｄは、本発明の「第１画像データ」の一例である。ここで、画像１ａ〜１ｄの作成方法については、種々の方法が考えられる。たとえば、インターネットなどのウェブサイトから所定の手続を経て有料あるいは無料で取得した画像データを用いてもよいし、携帯電話機１０１に予め設けられている画像作成ソフトウェアなどを使用して画像データを作成するようにしてもよい。
【００４４】
また、図８に示すように、画像１ａ〜１ｄの各々には、入力テンキー２１ａが対応するように構成されている。すなわち、第１実施形態では、ユーザが入力テンキー２１ａのうちの「２」ボタンを押下すると、コミュニケーション表示領域１２ａ（図６参照）に画像１ａ（嬉しさの感情）が表示されるとともに、「６」ボタンを押下すると、コミュニケーション表示領域１２ａに画像１ｂ（怒りの感情）が表示されるように構成されている。同様に、ユーザが「８」ボタンを押下すると、画像１ｃ（哀しさの感情）が表示されるとともに、「４」ボタンを押下すると、画像１ｄ（楽しさの感情）が表示されるように構成されている。また、一度表示されたキャラクタ画像１（画像１ａ〜１ｄ）は、所定時間経過後（たとえば約２秒後）、コミュニケーション表示領域１２ａから消える（非表示状態に切り換わる）ように構成されている。なお、上記した複数の入力テンキー２１ａは、後述する携帯電話機１０１の制御動作における「リアクションボタン」に対応しており、入力テンキー２１ａは、同時再生時のリアクションボタンとしてユーザに認識されている。
【００４５】
また、図８に示すように、画像１ａ〜１ｄの各々には、感情を文字で表現するためのコメント文５（５ａ〜５ｄ）がユーザにより設定可能であるように構成されている。すなわち、画像１ａには、嬉しさを表現する際に用いるコメント文５ａが対応しているとともに、画像１ｂには、怒りを表現する際に用いるコメント文５ｂが対応している。また、画像１ｃには、哀しさを表現する際に用いるコメント文５ｃが対応しているとともに、画像１ｄには、楽しさを表現する際に用いるコメント文５ｄが対応して構成されている。これにより、第１実施形態では、携帯電話機１０１のユーザが「２」ボタンを押下した際、画像１ａとともにコメント文５ａがコミュニケーション表示領域１２ａ（図６参照）の近傍に吹き出した状態で表示されるとともに、「６」ボタンを押下した際、画像１ｂとともにコメント文５ｂがコミュニケーション表示領域１２ｂの近傍に吹き出した状態で表示される。同様に、携帯電話機１０１のユーザが「８」ボタンを押下すると、画像１ｃとともにコメント文５ｃが表示されるとともに、「４」ボタンを押下すると、画像１ｄとともにコメント文５ｄが表示されるように構成されている。なお、コメント文５ａ〜５ｄは、本発明の「第１文字コメントデータ」の一例である。
【００４６】
したがって、第１実施形態では、図６に示すように、携帯電話機１０１〜１０４間においてコンテンツデータ７０が同時に再生される際（図３の状態）、携帯電話機１０１のユーザは、再生中のコンテンツデータ７０の場面に応じて対応する入力テンキー２１ａを押下することにより、自己のコメント情報（その場面における感想や意見など）をコミュニケーション表示領域１２ａに発信（掲示）することが可能に構成されている。また、この際、自己が発信するコメント情報（キャラクタ画像１およびコメント文５）を、無線通信部６４を介して携帯電話機１０２〜１０４の各々に向けて送信するように構成されている。これにより、携帯電話機１０２〜１０４のユーザは、視聴中のコンテンツデータ７０に対する携帯電話機１０１のユーザのコメント情報を、各々の携帯電話機の表示部１０を通して見ることが可能に構成されている。
【００４７】
また、第１実施形態では、上述した携帯電話機１０１のユーザから他のユーザに向けた無線通信部６４によるコメント情報の配信動作は、携帯電話機間で相互に行われるように構成されている。すなわち、携帯電話機１０２のユーザのコメント情報（キャラクタ画像２および対応するコメント文）が、携帯電話機１０１、１０３および１０４に対して配信されるとともに、携帯電話機１０３のユーザのコメント情報（キャラクタ画像３および対応するコメント文）が、携帯電話機１０１、１０２および１０４に対して配信される。同様に、携帯電話機１０４のユーザのコメント情報（キャラクタ画像４および対応するコメント文）が、携帯電話機１０１、１０２および１０３に対して配信されるように構成されている。なお、第１実施形態では、携帯電話機１０１を所有するユーザのコメント情報（キャラクタ画像１およびコメント文５）が、本発明の「第１コメント情報」に対応するとともに、携帯電話機１０２〜１０４の各々を所有するユーザのコメント情報（キャラクタ画像２、３または４、および、キャラクタ画像２、３または４の各々に対応するコメント文）が、本発明の「第２コメント情報」に対応している。これにより、携帯電話機１０１〜１０４の間でコンテンツデータ７０を同時再生する最中に、各ユーザは、再生中のコンテンツデータ７０の場面に応じた各人の感想などを互いに伝え合うことが可能であるように構成されている。したがって、携帯電話機１０２〜１０４が物理的に離れた場所に存在する場合や、互いに近い場所に存在しているにも関わらずアドホックネットワークが公衆の中（電車やバスの車内など）に形成されていて各々のユーザがヘッドホン５０を装着した状態で視聴するような場合であっても、同時再生されたコンテンツデータ７０を視聴するユーザ同志は、上述したキャラクタ画像およびコメント文を多用して互いに積極的なコミュニケーションを図ることが可能に構成されている。
【００４８】
また、第１実施形態では、図９に示すように、携帯電話機１０１のユーザの感情を表す画像１ａ〜１ｄの各々には、対応する各々の感情の程度に応じてさらに複数の画像が設定されるように構成されている。すなわち、画像１ｂ（怒りの感情を表現する画像）を例に説明すると、設定画面８４では、携帯電話機１０１のユーザが持つ怒りの感情の程度（強さ弱さ）に応じた静止画からなる画像１１ｂ、２１ｂ、３１ｂ、４１ｂおよび５１ｂ（５段階）が設定可能であるように構成されている。また、各々の画像（画像１１ｂ〜５１ｂ）は、「６」ボタンを押下する時間的な長さに応じてコミュニケーション表示領域１２ａに表示される画像が段階的に切り換えられるように構成されている。
【００４９】
具体的には、「６」ボタンを軽く１回押下した場合に画像１１ｂ（少しだけ怒っている表情）が選択されてコミュニケーション表示領域１２ａに表示される一方、「６」ボタンを約２秒程度連続して押下した場合に画像３１ｂ（普通に怒っている表情）が選択されてコミュニケーション表示領域１２ａに表示されるように構成されている。また同様に、「６」ボタンを約３秒程度長押しした場合に画像５１ｂ（非常に強く怒っている表情）が選択されてコミュニケーション表示領域１２ａに表示されるように構成されている。ここで、図８に示した画面における怒りのキャラクタ画像（画像１ｂ）の代表画像として、図９に示した画像３１ｂが表示されるように構成されている。なお、画像１１ｂ〜５１ｂは、本発明の「第１画像データ」の一例である。
【００５０】
また、図９に示すように、画像１１ｂ〜５１ｂの各々には、怒りの感情の程度（強さ弱さ）を文字で表現するためのコメント文１５ｂ、２５ｂ、３５ｂ、４５ｂおよび５５ｂが対応するように構成されている。これにより、携帯電話機１０１のユーザが、ボタン「６」を押下する時間的な長さ選ぶことにより、画像１１ｂ〜５１ｂのいずれか１つとこれに対応したコメント文（コメント文１５ｂ〜５５ｂ）とがコミュニケーション表示領域１２ａの近傍に吹き出した状態で表示されるように構成されている。ここで、上述の画像３１ｂが画像１ｂ（図８参照）に対応しているように、コメント文３５ｂが図８に示したコメント文５ｂに対応して表示されるように構成されている。なお、コメント文１５ｂ〜５５ｂは、本発明の「第１文字コメントデータ」の一例である。
【００５１】
なお、図９では、怒りの感情を表現する画像１ｂ（図８参照）について、さらに怒りの程度に応じた画像１１ｂ〜５１ｂとコメント文１５ｂ〜５５ｂとを設定する例を示しているが、怒りの感情以外の、嬉しさ（画像１ａ）、哀しさ（画像１ｃ）および楽しさ（画像１ｄ）の感情ついても、各々の感情の程度に応じた画像およびコメント文が設定可能であるように構成されている。第１実施形態では、喜怒哀楽の４つの感情×各感情の程度５段階＝２０通りのキャラクタ画像１（図６参照）と、２０通りのキャラクタ画像１の各々に対応した２０通りのコメント文５（図６参照）とがユーザにより設定可能であるように構成されている。
【００５２】
また、第１実施形態では、ユーザ操作によって予め設定されるキャラクタ画像１およびコメント文５は、図７に示した「通信機能設定モード」を終了した際に、フラッシュＲＯＭ６６に記憶されるように構成されている。また、フラッシュＲＯＭ６６に記憶されたキャラクタ画像１およびコメント文５を、別な機会に再度編集して設定しなおすことも可能であるように構成されている。
【００５３】
また、第１実施形態では、携帯電話機１０１〜１０４の間でコンテンツデータ７０を同時再生する最中に、携帯電話機１０１のユーザが発信したコメント情報（キャラクタ画像１およびコメント文５）が、時間情報とともに各々の携帯電話機のフラッシュＲＯＭ６６に記憶されるように構成されている。同様に、携帯電話機１０２〜１０４の各ユーザが発信した個々のコメント情報（キャラクタ画像およびコメント文）についても、時間情報とともに各々の携帯電話機のフラッシュＲＯＭ６６に記憶されるように構成されている。ここで、携帯電話機１０２〜１０４の各ユーザが発信したコメント情報に含まれるキャラクタ画像は、本発明の「第２画像データ」に対応するとともに、携帯電話機２０１〜１０４の各々のユーザが発信したコメント情報に含まれるコメント文は、本発明の「第２文字コメントデータ」に対応している。
【００５４】
また、第１実施形態では、フラッシュＲＯＭ６６に記憶された各ユーザが発信したコメント情報（キャラクタ画像およびコメント文）を、コンテンツデータ７０の同時再生の終了後などの別な時間に、各ユーザは自己の携帯電話機において、コンテンツデータ７０の再生とともに再生することが可能に構成されている。すなわち、各ユーザは、自己のリアクションも含めたコンテンツデータ７０に対する他のユーザのリアクションの様子を振り返って視聴（確認）することが可能に構成されている。
【００５５】
次に、図５および図１０〜図１２を参照して、第１実施形態においてアドホックネットワークが形成された携帯電話機間においてコンテンツデータを同時再生する際の制御フローについて説明する。
【００５６】
まず、図１０を参照して、２台の携帯電話機１０１および１０２がコンテンツデータを同時再生するためのアドホックネットワークを形成する際の制御動作について説明する。なお、以下の説明では、まず、携帯電話機１０１側から各制御ステップにおける信号を生成した後、携帯電話機１０１側から携帯電話機１０２に向けて通信が行われる場合について説明する。
【００５７】
まず、ステップＳ１では、携帯電話機１０１のユーザにより、図４に示した設定画面８１を介して、アドホックネットワークを形成するための「グループ形成モード」に切り換えられたか否かが制御部６１（図５参照）により判断されるとともに、携帯電話機１０１が「グループ形成モード」に切り換えられるまでこの判断が繰り返される。ステップＳ１において、「グループ形成モード」に切り換えられたと判断された場合、アドホックネットワークを形成するための「グループ形成モード」が起動される。その後、ステップＳ２において、携帯電話機１０１では、制御部６１により「赤外線通信モード」がＯＮ状態に切り換えられる。また、ステップＳ３では、制御部６１により、「マスター時間」のカウントが開始される。
【００５８】
次に、ステップＳ４では、携帯電話機１０１のユーザにより、ネットワークを形成するための通信ボタン（たとえば、選択操作ボタン２０ｄなど）が押下されたか否かが制御部６１（図５参照）により判断されるとともに、通信ボタンが押下されるまでこの判断が繰り返される。ステップＳ４において、通信ボタンが押下されたと判断された場合、ステップＳ５において、携帯電話機１０２に対して、赤外線通信部６３（図５参照）によりアドホックネットワークを形成するための赤外線通信を行う。
【００５９】
すなわち、ステップＳ５において、制御部６１（図５参照）により、携帯電話機１０１から携帯電話機１０２に対して「マスター時間」および機器ＩＤが送信される。この「マスター時間」は、携帯電話機１０１と１０２との間でコンテンツデータ７０を同時再生するための時間情報のことを示しており、本発明の「コンテンツデータを再生するための時間情報」の一例に対応している。
【００６０】
なお、携帯電話機１０１では、ステップＳ３において「グループ形成モード」に移行した時点で、自己が有する「マスター時間」のカウントが開始される。また、ステップＳ５において携帯電話機１０２に対して送信される「マスター時間」は、携帯電話機１０１における「マスター時間」のカウント開始後に、携帯電話機１０１から携帯電話機１０２に対して送信を行う時点での時間情報（カウント済みの「マスター時間」）が含まれる。
【００６１】
また、携帯電話機１０２では、ステップＳ２１において、携帯電話機１０２のユーザにより、アドホックネットワークを形成するための「グループ形成モード」に切り換えられたか否かが制御部６１（図５参照）により判断されるとともに、携帯電話機１０２が「グループ形成モード」に切り換えられるまでこの判断が繰り返される。ステップＳ２１において、「グループ形成モード」に切り換えられたと判断された場合、アドホックネットワークを形成するための「グループ形成モード」が起動される。その後、ステップＳ２２において、携帯電話機１０２では、制御部６１により「赤外線通信モード」がＯＮ状態に切り換えられる。
【００６２】
そして、ステップＳ２３では、携帯電話機１０１から送信された機器ＩＤおよびカウント開始後の「マスター時間」が赤外線通信部６３（図５参照）を介して受信されたか否かが判断されるとともに、携帯電話機１０１から送信された機器ＩＤおよび「マスター時間」が受信されるまでこの判断が繰り返される。ステップＳ２３において、機器ＩＤおよび「マスター時間」が受信されたと判断された場合、携帯電話機１０２と携帯電話機１０１との間にアドホックネットワークが形成される。これにより、携帯電話機１０２では、受信された「マスター時間」からのカウントが開始される。その後、ステップＳ２４では、携帯電話機１０１の機器ＩＤが携帯電話機１０２のフラッシュＲＯＭ６６に記憶される。
【００６３】
ここで、２つの携帯電話機が上記した赤外線通信を相互に行う際、双方のユーザによって、携帯電話機の側面や裏面などの赤外線が出射される部分を互いに近づける行為が行われる。すなわち、２台の携帯電話機１０１および１０２が、赤外線通信が可能な距離まで接近したり、あるいは、通信中に軽く接触（タッチ）したりする場合もあり得る。このように、物理的に離れた位置で使用される２台の携帯電話機が、アドホックネットワークを形成する際に、物理的に接近または接触させる行為を経るので、この点において、双方のユーザは、これからグループに参加してコミュニケーションを図るということを、より直接的に感じ取ることが可能となる。
【００６４】
その後、ステップＳ２５において、携帯電話機１０２は、携帯電話機１０２が有する機器ＩＤを携帯電話機１０１に対して送信する。これにより、携帯電話機１０２は、携帯電話機１０１との間にアドホックネットワークが確立されたことを認識するとともに、ステップＳ２６において、「グループ形成モード」および「赤外線通信モード」を共に終了（ＯＦＦ状態）する。
【００６５】
これにより、携帯電話機１０１では、ステップＳ６において、携帯電話機１０２から送信された機器ＩＤを受信したか否かが制御部６１（図５参照）により判断されるとともに、携帯電話機１０２の機器ＩＤを受信するまで判断が繰り返される。ステップＳ６において、携帯電話機１０２から送信された機器ＩＤを受信したと判断された場合、携帯電話機１０１は、携帯電話機１０２との間にアドホックネットワークが確立されたことを認識するとともに、ステップＳ７において、「グループ形成モード」および「赤外線通信モード」を共に終了（ＯＦＦ状態）する。
【００６６】
この時点で、携帯電話機１０１と１０２とは、交換された機器ＩＤを通じて互いに小グループの構成メンバーであることを認識するとともに、同じ時刻でカウントが進行する「マスター時間」を共有した状態となる。
【００６７】
次に、携帯電話機１０１におけるステップＳ９では、携帯電話機１０１のユーザにより、コンテンツデータ７０が選択されたか否かが判断されるとともに、コンテンツデータ７０が選択されるまでこの判断が繰り返される。ステップＳ９において、コンテンツデータ７０が選択されたと判断された場合、ステップＳ１０において、選択されたコンテンツデータ７０を携帯電話機１０２に対して送信する。
【００６８】
そして、携帯電話機１０２におけるステップＳ２７では、携帯電話機１０１から送信されたコンテンツデータ７０を受信したか否かが判断されるとともに、携帯電話機１０１から送信されたコンテンツデータ７０を受信するまでこの判断が繰り返される。ステップＳ２７において、コンテンツデータ７０を受信したと判断された場合、ステップＳ２８において、携帯電話機１０２は、受信したコンテンツデータ７０をフラッシュＲＯＭ６６に保存する。
【００６９】
また、携帯電話機１０１におけるステップＳ１１では、携帯電話機１０１のユーザにより、コンテンツデータ７０を再生するためのボタン操作（選択操作ボタン２０ｄの押下操作）が行われたか否かが判断されるとともに、コンテンツデータ７０を再生するためのボタン操作が行われるまでこの判断が繰り返される。ステップＳ１１において、ボタン操作（選択操作ボタン２０ｄの押下操作）が行われたと判断された場合、ステップＳ１２において、選択されたコンテンツデータ７０の再生を開始する。これにより、携帯電話機１０１のユーザは、表示部１０を介してコンテンツデータ７０の視聴を開始する。そして、ステップＳ１３において、携帯電話機１０１は、コンテンツデータ７０を再生するための「命令信号」と、命令信号を送信する際の「マスター時間」とを携帯電話機１０２に対して送信する。
【００７０】
また、携帯電話機１０２におけるステップＳ２９では、携帯電話機１０１から送信されたコンテンツデータ７０を再生するための「命令信号」および命令信号を送信する際の時間が記録された「マスター時間」とを受信したか否かが判断されるとともに、この「命令信号」および「マスター時間」を受信するまでこの判断が繰り返される。ステップＳ２９において、携帯電話機１０１から送信された「命令信号」および「マスター時間」を受信したと判断された場合、ステップＳ３０において、受信したコンテンツデータ７０の再生を開始する。この際、携帯電話機１０２では、自己が有するカウント中の「マスター時間」と、ステップＳ２９により携帯電話機１０１から受信した「マスター時間」（携帯電話機１０１の命令送信時のマスター時間）との時間差分だけ自己が有する「マスター時間」のカウントを進めた時点に対応する再生時刻からコンテンツデータ７０の再生を開始する。すなわち、携帯電話機１０２では、携帯電話機１０１のユーザによる再生操作（ステップＳ１２）とその後の送信操作（ステップＳ１３）とのタイムラグ分、再生地点をスキップした状態でコンテンツデータ７０の途中から再生を開始することになる。これにより、携帯電話機１０２のユーザは、表示部１０を介して携帯電話機１０１と同期が取れた状態でコンテンツデータ７０の視聴を開始する。
【００７１】
このようにして、２台の携帯電話機１０１および１０２は、アドホックネットワークを形成した状態で、コンテンツデータ７０を略同じタイミングで同時に再生する。なお、上記では、携帯電話機１０１と携帯電話機１０２との間の制御フローについて説明しているが、他の携帯電話機間においても上記と同様の制御が行われることにより、携帯電話機間にアドホックネットワークが形成された状態でコンテンツデータ７０の同時再生が行われる。
【００７２】
また、４台の携帯電話機間でアドホックネットワークを形成してコンテンツデータ７０を同時に再生する際、上記のように携帯電話機１０１が所有するコンテンツデータを他の携帯電話機１０２〜１０４に配信した後にコンテンツデータの同時再生を行ってもよいし、携帯電話機１０１以外の携帯電話機から他の携帯電話機に対して別なコンテンツデータを配信して同時再生を行うことも可能である。この場合、アドホックネットワークを形成する際に交換される各々の機器ＩＤの登録に基づいて、コンテンツデータの配信元（親機）とコンテンツデータの受信先（子機）とが区別される。したがって、配信元（親機）と受信先（子機）との関係を機器ＩＤによって適宜管理することにより、アドホックネットワーク環境下における相互通信が実現可能とされている。
【００７３】
次に、図５および図１１を参照して、２台の携帯電話機１０１および１０２がコンテンツデータを同時再生する際のユーザ間のコミュニケーションに関する制御動作について説明する。
【００７４】
まず、ステップＳ３１では、携帯電話機１０１のユーザにより、リアクションボタン（入力テンキー２１ａ）が押下されたか否かが制御部６１（図５参照）により判断されるとともに、リアクションボタンが押下されるまでこの判断が繰り返される。ステップＳ３１において、リアクションボタン（入力テンキー２１ａ）が押下されたと判断された場合、ステップＳ３２において、リアクションボタンに対応するコメント情報（キャラクタ画像１およびコメント文５）を携帯電話機１０２に対して送信する。また、ステップＳ３３では、リアクションボタンに対応するコメント情報（キャラクタ画像１およびコメント文５）を携帯電話機１０１の表示部１０（図５参照）に表示する。
【００７５】
一方、携帯電話機１０２では、ステップＳ４１において、携帯電話機１０１からコメント情報（キャラクタ画像１およびコメント文５）が受信されたか否かが判断されるとともに、コメント情報が受信されるまでこの判断が繰り返される。ステップＳ４１において、コメント情報（キャラクタ画像１およびコメント文５）が受信されたと判断された場合、ステップＳ４２において、受信されたコメント情報（キャラクタ画像１およびコメント文５）を携帯電話機１０２の表示部１０（図５参照）に表示する。
【００７６】
この際、第１実施形態では、携帯電話機１０１のユーザが発信した個々のコメント情報（キャラクタ画像１およびコメント文５）が、その時点での「マスター時間」とともにフラッシュＲＯＭ６６に記憶される。
【００７７】
その後、携帯電話機１０１におけるステップＳ３４では、コメント情報が表示された時間から約２秒が経過したか否かが判断される。ステップＳ３４において、コメント情報が表示された時間から約２秒が経過したと判断された場合、ステップＳ３５において、表示部１０に表示していたコメント情報（キャラクタ画像１およびコメント文５）を非表示にする。また、携帯電話機１０２のステップＳ４３においても同様の判断が行われるとともに、約２秒が経過したと判断された場合、ステップＳ４４において、表示部１０に表示していたコメント情報（キャラクタ画像１およびコメント文５）を非表示にする。
【００７８】
その後、携帯電話機１０１におけるステップＳ３６では、コンテンツデータ７０の再生が終了したか否かが判断される。ステップＳ３６において、コンテンツデータ７０の再生が終了されていないと判断された場合には、ステップＳ３１に戻り、ステップＳ３１〜ステップＳ３５までの処理を繰り返す。ステップＳ３６において、コンテンツデータ７０の再生が終了されたと判断された場合には、携帯電話機１０１は本制御フローを終了する。なお、上記では、携帯電話機１０１と携帯電話機１０２との間の制御フローについて説明しているが、他の携帯電話機間においても上記と同様の制御が行われることにより、アドホックネットワークが形成された携帯電話機間におけるユーザ間のコミュニケーションが図られる。
【００７９】
次に、図５および図１２を参照して、２台の携帯電話機１０１および１０２がコンテンツデータを同時再生する際の再生操作に関する制御動作について説明する。
【００８０】
まず、ステップＳ５１では、携帯電話機１０１のユーザにより、再生データの巻き戻しを行うためのボタン操作（選択操作ボタン２０ｄの押下操作）が行われたか否かが制御部６１（図５参照）により判断されるとともに、再生データの巻き戻しを行うためのボタン操作が行われるまでこの判断が繰り返される。ステップＳ５１において、再生データの巻き戻しを行うためのボタン操作（選択操作ボタン２０ｄの押下操作）が行われたと判断された場合、ステップＳ５２において、携帯電話機１０１から携帯電話機１０２に対して、巻き戻し操作（一斉巻き戻しする操作）の可否を問い合わせるための「問い合わせ信号」が送信される。
【００８１】
すなわち、携帯電話機１０２では、ステップＳ６１において、携帯電話機１０１から送信された巻き戻し操作の可否を問い合わせるための「問い合わせ信号」を受信したか否かが判断されるとともに、「問い合わせ信号」を受信するまでこの判断が繰り返される。ステップＳ６１において、「問い合わせ信号」が受信されたと判断された場合、ステップＳ６２において、携帯電話機１０２のユーザに対して携帯電話機１０１のユーザが巻き戻し操作をしたい旨のメッセージ（たとえば、「巻き戻しをしたいユーザがいますが許可しますか？」などのメッセージ）が、表示部１０（図５参照）に表示される。
【００８２】
そして、ステップＳ６３において、携帯電話機１０２のユーザにより、選択操作ボタン２０ｄの押下操作によって許可する旨の「ＯＫ」ボタンが選択されたか否かが判断されるとともに、「ＯＫ」ボタンが選択されるまでこの判断が繰り返される。ステップＳ６３において、「ＯＫ」ボタンが選択されたと判断された場合、ステップＳ６４において、携帯電話機１０１のユーザによる巻き戻し操作を許可するための「許可信号」を、携帯電話機１０２に対して送信する。
【００８３】
なお、上記したステップＳ６２〜Ｓ６４では、携帯電話機１０２のユーザに対して巻き戻し操作の可否を問い合わせた後に、携帯電話機１０２のユーザが「ＯＫ」ボタンを押下して「許可信号」返信する処理を行っているが、携帯電話機１０２において「問い合わせ信号」を受信した場合には、無条件に巻き戻し操作の「許可信号」を携帯電話機１０１に対して返信するように携帯電話機１０２側で予め設定されるように構成していてもよい。これにより、「問い合わせ信号」を受信したユーザのうち、同時再生中に一斉巻き戻しされることに同意するユーザは、「問い合わせ信号」が受信される度に「ＯＫ」ボタンを押下する必要がないので、コンテンツデータ７０の視聴により専念することができる。ここで、この巻き戻し操作の「許可信号」を自動的に返信するモードから、前述の手動で返信するモード（メッセージを見て応答するモード）への変更も、コンテンツデータ７０の視聴中にユーザによって行うことが可能である。
【００８４】
そして、携帯電話機１０１におけるステップＳ５３では、携帯電話機１０２から送信された巻き戻し操作を許可する「許可信号」を受信したか否かが判断されるとともに、「許可信号」を受信するまでこの判断が繰り返される。ステップＳ５３において、「許可信号」を受信したと判断された場合、ステップＳ５４において、携帯電話機１０１のユーザによる巻き戻し操作（選択操作ボタン２０ｄの押下操作）に応じて再生中のコンテンツデータ７０データを巻き戻す。その後、ステップＳ５５では、巻き戻し先のコンテンツデータ７０の再生時間（コンテンツデータ７０固有の再生時間）とその時点における「マスター時間」とを携帯電話機１０２に対して送信する。
【００８５】
その後、ステップＳ５６では、巻き戻された位置からのコンテンツデータ７０の再生を開始する。同様に、携帯電話機１０２におけるステップＳ６５において、携帯電話機１０１から受信された巻き戻し先のコンテンツデータ７０の再生時間とその時点における「マスター時間」とに基づいて、巻き戻された位置からのコンテンツデータ７０の再生を開始する。
【００８６】
このようにして、２台の携帯電話機１０１および１０２は、アドホックネットワークを形成した状態で、巻き戻された位置からコンテンツデータ７０を略同じタイミングで同時に再生する。なお、上記では、携帯電話機１０１と携帯電話機１０２との間の制御フローについて説明しているが、他の携帯電話機間においても上記と同様の制御が行われる。
【００８７】
第１実施形態では、上記のように、制御部６１を、コンテンツデータ７０を再生する最中に、コンテンツデータ７０を視聴する携帯電話機１０１のユーザの操作に基づいて携帯電話機１０２〜１０４に向けて再生中のコンテンツデータ７０に対する携帯電話機１０１のユーザのコメント情報（キャラクタ画像１およびコメント文５）を無線通信部６４により送信する制御を行うとともに、携帯電話機１０２〜１０４においてコンテンツデータ７０を視聴する携帯電話機１０２〜１０４のユーザから送信された再生中のコンテンツデータ７０に対する携帯電話機１０２〜１０４のユーザのコメント情報（キャラクタ画像およびコメント文）を無線通信部６４により受信する制御を行うように構成することによって、携帯電話機１０１〜１０４の各々において同じコンテンツデータ７０が同時に再生される際、各々の携帯電話機を所有するユーザ（携帯電話機１０１のユーザおよび携帯電話機１０２〜１０４のユーザ）は、再生中のコンテンツデータ７０を視聴する行為に留められることなく、再生中のコンテンツデータ７０に対する各人のコメント情報を他のユーザに対して自己の携帯電話機（無線通信部６４）を介して相互に伝えることができる。すなわち、携帯電話機１０１のユーザは自己のコメント情報を携帯電話機１０２〜１０４のユーザに対して伝えることができるとともに、携帯電話機１０２〜１０４のユーザは彼らのコメント情報を携帯電話機１０１のユーザに対して伝えることができる。これにより、物理的に離れた別々の携帯電話機において同じコンテンツデータ７０を同時に視聴する状況下であっても、同時再生されたコンテンツデータ７０を視聴するユーザ同志が積極的なコミュニケーションを図ることができる。
【００８８】
また、第１実施形態では、制御部６１を、コンテンツデータ７０を再生する最中に、携帯電話機１０１のユーザの操作に基づいて携帯電話機１０２〜１０４に向けてコメント文５（５ａ〜５ｄ）を送信するとともに、コメント文５（５ａ〜５ｄ）をコンテンツデータ７０とともに表示部１０に表示させ、かつ、携帯電話機１０２〜１０４からコンテンツデータ７０に対するコメント文を受信した場合に、受信されたコメント文をコンテンツデータ７０とともに表示部１０に表示させる制御を行うように構成することによって、文字形式からなるコメント情報（コメント文５）を表示部１０に表示させる方法により、各ユーザは、再生中のコンテンツデータ７０に対する各ユーザの感情表現を他のユーザに対して容易に伝達することができる。
【００８９】
また、第１実施形態では、携帯電話機１０１のユーザが発信するコメント情報が、コメント文５（５ａ〜５ｄ）に加えて、携帯電話機１０１のユーザを特定することが可能なユーザ識別情報を含んでおり、制御部６１を、コメント文５（５ａ〜５ｄ）と携帯電話機１０１のユーザ識別情報とを対応付けて携帯電話機１０２〜１０４に送信するように構成することによって、配信されたコメント情報（コメント文５）に対してコメントの発信者（携帯電話機１０１のユーザ）を特定する情報が反映されるので、各ユーザは、コメント情報の発信者が誰であるかを互いに認識することができる。この結果、ユーザ間のコミュニケーションをより充実させることができる。
【００９０】
また、第１実施形態では、携帯電話機１０１のユーザ識別情報が、携帯電話機１０１のユーザを連想させる図柄でかつ携帯電話機１０１のユーザの感情を表現する図柄からなる画像１ａ〜１ｄ（キャラクタ画像１）を含むことによって、携帯電話機１０１のユーザが持つ喜怒哀楽などの感情を画像１ａ〜１ｄ（キャラクタ画像１）を用いて携帯電話機１０２〜１０４のユーザに対して視覚的に訴えながら伝達することができる。これにより、ユーザ間のコミュニケーションをさらに充実させることができる。
【００９１】
また、第１実施形態では、キャラクタ画像１を、携帯電話機１０１のユーザの感情の種類（喜怒哀楽）および感情の程度（強さ弱さ）の少なくとも感情の種類を予め設定可能であるように構成するとともに、少なくとも感情の種類（喜怒哀楽）に対応する複数の画像１ａ〜１ｄの各々と対応付けて、複数のコメント文５（５ａ〜５ｄ）を予め設定可能に構成することによって、画像１ａ〜１ｄと、画像１ａ〜１ｄにより表現される喜怒哀楽などの各々の感情の種類に対応したコメント文５（５ａ〜５ｄ）とが一緒に携帯電話機１０２〜１０４のユーザに向けて発信されるので、携帯電話機１０２〜１０４のユーザは、携帯電話機１０１のユーザの現在の感情をより正確かつ詳細に把握することができる。
【００９２】
また、第１実施形態では、携帯電話機１０１のユーザのコメント情報（キャラクタ画像１およびコメント文５）を、携帯電話機１０１のユーザにより予め設定された状態でフラッシュＲＯＭ６６に記憶されるように構成することによって、コメント情報（キャラクタ画像１およびコメント文５）が予めフラッシュＲＯＭ６６に記憶された状態で準備されているので、携帯電話機１０１のユーザは、自己の感情（リアクション）を発信したいタイミングを逃すことなくコメント情報を携帯電話機１０２〜１０４のユーザに対して発信することができる。
【００９３】
また、第１実施形態では、制御部６１を、携帯電話機１０１のユーザの操作に基づいて携帯電話機１０２〜１０４との間においてアドホックネットワークを形成するための「グループ形成モード」を起動する制御を行うとともに、「グループ形成モード」が起動された状態で、携帯電話機１０２〜１０４との間で赤外線通信部６３による直接的な無線通信を行うことにより、携帯端末装置間にアドホックネットワークを形成する制御を行うように構成するとともに、制御部６１を、携帯電話機１０２〜１０４との間にアドホックネットワークを形成する際、携帯電話機１０２〜１０４と略同じタイミングでコンテンツデータ７０を再生するための「マスター時間」を、赤外線通信部６３により携帯電話機１０２〜１０４に向けて送信するかまたは携帯電話機１０２〜１０４から受信することにより、携帯電話機１０２〜１０４との間で「マスター時間」を共有する状態を確立する制御を行うように構成することによって、ユーザ同志が赤外線通信部６３による無線通信を行ってアドホックネットワークを形成する行為（操作）が契機となって、コンテンツデータ７０の同時再生を行うことを目的としたアドホックネットワークの形成を容易に行うことができる。また、赤外線通信部６３による無線通信の際に、コンテンツデータ７０を同時再生する際に必要となる「マスター時間」が、アドホックネットワークの形成時に、一方の携帯端末装置から他方の携帯端末装置に対して受け渡されるので、コンテンツデータ７０の同時再生に伴う機器の環境設定を、アドホックネットワークの形成と同時に容易に行うことができる。
【００９４】
また、第１実施形態では、携帯電話機１０２〜１０４から「マスター時間」を受信することにより携帯電話機１０２〜１０４との間で「マスター時間」を共有する場合に、アドホックネットワークがまだ形成されていない携帯電話機１０２〜１０４に対して赤外線通信部６３により直接的な無線通信を行うことにより、順次「マスター時間」を共有する携帯端末装置を増加してアドホックネットワークを形成するように構成することによって、たとえば１人のユーザが所有する１台の携帯端末装置を広範囲に移動させて他の全ての携帯端末装置との間でアドホックネットワークを順次形成する場合と比較して、アドホックネットワークを形成済みの携帯端末装置とこの携帯端末装置の近傍に存在するアドホックネットワークがまだ形成されていない携帯端末装置との間で順次無線通信を繰り返すことができる分、特定のユーザに過度な負担をかけることなく、かつ、比較的短時間でアドホックネットワークの形成を行うことができる。
【００９５】
また、第１実施形態では、制御部６１を、コンテンツデータ７０を再生する最中に、携帯電話機１０２〜１０４との間で共有する「マスター時間」に基づいて、無線通信部６４により携帯電話機１０２〜１０４に向けて再生中のコンテンツデータ７０に対する携帯電話機１０１のユーザのコメント情報（キャラクタ画像１およびコメント文５）を送信した時間、および、無線通信部６４により携帯電話機１０２〜１０４から携帯電話機１０２〜１０４のユーザのコメント情報（キャラクタ画像およびコメント文）を受信した時間に合わせて、上記コメント情報を表示部１０に表示する制御を行うように構成することによって、ユーザから発信されたコメント情報を、ユーザが発信した時間（タイミング）に対応するコンテンツデータ７０の場面に的確に反映させて表示部１０に表示させることができるので、ユーザは、再生中のコンテンツデータ７０の各場面における各人のコメント情報を、他のユーザに対して確実に伝達することができる。
【００９６】
また、第１実施形態では、制御部６１を、携帯電話機１０１のユーザのコメントを、携帯電話機１０２〜１０４との間で共有する「マスター時間」に基づいて、コンテンツデータ７０の再生時間と携帯電話機１０１のユーザのコメントの送信時間とを関連付けた状態で、フラッシュＲＯＭ６６に記憶する制御を行うように構成することによって、携帯電話機１０１のユーザのコメント情報がコンテンツデータ７０の再生時間と関連付けられた状態でフラッシュＲＯＭ６６に記憶されるので、コンテンツデータ７０の視聴終了後においても、各ユーザが発信したコメントを、コンテンツデータ７０が有する数々の場面に対応させて繰り返し確認することができる。
【００９７】
また、第１実施形態では、制御部６１を、ユーザによる個別のコンテンツデータ７０の再生操作に基づいて、フラッシュＲＯＭ６６に記憶されている携帯電話機１０１のユーザの第１コメント情報を、コンテンツデータ７０の再生時間に基づきコンテンツデータ７０の再生と同時に再生する制御を行うように構成することによって、フラッシュＲＯＭ６６に記憶されたユーザ同志のコミュニケーションの様子を、別な時間に容易に確認（検証）することができる。
【００９８】
（第２実施形態）
図８および図１３を参照して、本発明の第２実施形態ついて説明する。この第２実施形態による携帯電話機２０１では、上記第１実施形態と異なり、各ユーザのコメント情報が、表示部１０の表示領域１２ｅに時系列的に表示される例について説明する。
【００９９】
すなわち、第２実施形態では、図１３に示すように、携帯電話機２０１の表示部１０のうちの上側の約半分の動画表示領域１１にコンテンツデータ７０が表示される一方、表示部１０のうちの下側の約半分の表示領域１２ｅに、携帯電話機を所有する各ユーザのコメント情報２００が表示されるように構成されている。この際、各ユーザのコメント情報２００は、送信された時間に従って表示領域１２ｅの上側から下側に向かって順次表示されるとともに、送信時間の古い順（上側のコメント情報２００）から順に、表示が消されるように構成されている。これにより、コンテンツデータ７０が同時再生される際、表示領域１２ｅに表示される各ユーザのコメント情報２００は、下側から上側に向かってスクロールしながら順次更新されるように構成されている。各ユーザコメント情報２００は、本発明の「第１コメント情報」および「第２コメント情報」の一例である。
【０１００】
また、各ユーザのコメント情報２００は、携帯電話機２０１などに予め登録されたユーザの名前（ニックネームなど）と、上記第１実施形態で用いたコメント文５とにより構成されている。したがって、コンテンツデータ７０の同時再生中に、たとえば、携帯電話機２０１のユーザが入力テンキー２１ａのうちの「２」ボタンを押下すると、表示領域１２ｅに、ユーザ名と嬉しさの感情を表すコメント文５ａ（図８参照）が表示される。なお、第２実施形態では、携帯電話機２０１を所有するユーザが、本発明の「第１ユーザ」に対応している。
【０１０１】
なお、第２実施形態における効果は、上記第１実施形態と同様である。
【０１０２】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【０１０３】
たとえば、上記第１実施形態では、ユーザの感情を表現するキャラクタ画像１を構成する複数の画像データが静止画により構成された例について示したが、本発明はこれに限られない。本発明では、ユーザの感情を表現するキャラクタ画像１に動画を用いるように構成してもよい。
【０１０４】
また、上記第１および第２実施形態では、１つの入力テンキー２１ａ（たとえば怒りの感情を表現する「６」ボタン（図９参照））を押下する時間（短く押すか長押しするか）に応じてコメント情報の内容（感情レベルが弱いか強いか）を切り換えて発信するように構成した例について示したが、本発明はこれに限られない。本発明では、ユーザがコメント情報を発信する際、たとえば、まず、選択操作ボタン２０ｄを表示部１０に対する上下方向および左右方向に押下する（三角形状の矢印マークの部分（図１参照））ことにより喜怒哀楽などの感情の種類を選び、その後、入力テンキー２１ａの「１」〜「９」のボタンのうちのいずれかを押下することにより選択された感情の程度を選ぶことにより、発信するコメント情報を確定させるように構成してもよい。このように構成すれば、ボタンの長押し操作などでコメント情報を確定させる場合と異なり、より短時間でコメント情報を確定させることができるので、発信したいタイミングを逃すことなくコメント情報を他のユーザに対して発信することができる。なお、図３に示すように、携帯電話機１０１の上部筐体９０が反時計回りに９０°倒された状態で使用される場合においても、選択操作ボタン２０ｄは、ユーザが表示部１０を正面から見た場合を基準として常に表示部１０の上下方向（矢印マークの上下方向）および左右方向（矢印マークの左右方向）に対応させて喜怒哀楽などの感情の種類が選択可能に割り当てられるように構成されるのが好ましい。
【０１０５】
また、上記した変形例では、選択操作ボタン２０ｄを用いて感情の種類を選ぶとともに、入力テンキー２１ａを用いて選択された感情の程度を選ぶように構成したが、この限りではない。すなわち、本発明では、図１に示すように、上部筐体９０側のメニューボタン２０ａ、通話ボタン２０ｂ（左右２つ）およびメール起動ボタン２０ｃを用いて感情の種類を選ぶように構成するとともに、選択操作ボタン２０ｄのうちの上下方向（または左右方向）の押下により選択された感情の程度を選ぶように構成してもよい。このように構成すれば、コメント情報を発信する際に操作されるボタンが上部筐体９０側に集中しているので、近接するボタン間での操作ができる分、ボタン操作の際のユーザの操作性を向上させることができる。
【０１０６】
また、上記第１および第２実施形態では、ユーザの感情を表現するコメント情報として、キャラクタ画像やコメント文などを用いた例について示したが、本発明はこれに限られない。本発明では、コンテンツデータを再生する最中に、ユーザのボタン操作に基づいて、ユーザの感情を表現する音声データをコメント情報として配信するように構成してもよい。特に、各ユーザがヘッドホンを着用して視聴する場合、音声データを配信するのが効果的である。この場合、ユーザが自己の肉声からなる音声データを予め録音しておくことも可能であるし、予め文字形式で作成されているコメント文などを、ユーザの特徴的な音声データに基づいて作成された人工的な音声（音源）により読み上げるように構成してもよい。
【０１０７】
また、上記第１実施形態では、アドホックネットワークを形成する携帯電話機の数が４台である例について示したが、本発明はこれに限られない。本発明では、アドホックネットワークを形成する携帯電話機の数が４台以外の複数台であってもよい。なお、アドホックネットワークを形成する携帯電話機の数が多い場合は、ユーザの感情を表現するキャラクタ画像を全て表示部１０（コミュニケーション表示領域）に表示するのが困難な場合も考えられる。このような場合、各々のユーザのキャラクタ画像のうちの特定のキャラクタ画像（たとえば４人分）のみを表示部１０に表示するとともに、所定時間経過後に、表示されるユーザの画像を交代させて順繰りに表示部１０に表示するように構成してもよい。あるいは、上記のように大勢で視聴している場合は、情報を発信したユーザのみのコメント情報が表示部１０（コミュニケーション表示領域）に発信（受信）時間順に表示されるように構成されていてもよい。なお、この場合において、表示部１０が表示可能な人数（たとえば４人）の全てを表示（掲載）している場合、最も古いコメント情報が表示されているコミュニケーション表示領域に、最も新しく発信（受信）されたユーザのコメント情報が更新表示されることを繰り返すように構成するのが好ましい。
【０１０８】
また、上記第１実施形態では、キャラクタ画像を各ユーザを特定することが可能な「似顔絵画像」により構成した例について示したが、本発明はこれに限られない。本発明では、キャラクタ画像を、各ユーザの似顔絵を含めた体の一部分または全体を用いたキャラクタ画像（アバターなど）として構成してもよい。
【０１０９】
また、上記第１および第２実施形態では、アドホックネットワークを形成する際に、赤外線通信機能を利用した例について示したが、本発明は、これに限られない。本発明では、赤外線による無線通信以外の、たとえば、Ｂｌｕｅｔｏｏｔｈ規格による無線通信やＩＣカード技術を用いた無線通信によって複数の携帯電話間にアドホックネットワークを形成するようにしてもよい。なお、ＩＣカード技術を用いた無線通信を行う場合、一方の携帯電話機（たとえば小グループを形成する行為を他の機器に持ちかける側）がリーダ／ライタの機能を担うように構成するとともに、他方の携帯電話機（小グループに参加しようとする側）がＩＣカードとしての機能を担うように構成してもよいし、これとは反対の構成であってもよい。
【符号の説明】
【０１１０】
１  キャラクタ画像（第１画像データ）
１ａ、１ｂ、１ｃ、１ｄ  画像（第１画像データ）
２、３、４  キャラクタ画像（第２画像データ）
５、５ａ、５ｂ、５ｃ、５ｄ  コメント文（第１文字コメントデータ）
１０  表示部
１１ｂ、２１ｂ、３１ｂ、４１ｂ、５１ｂ  画像（第１画像データ）
１５ｂ、２５ｂ、３５ｂ、４５ｂ、５５ｂ  コメント文（第１文字コメントデータ）
６１  制御部
６３  赤外線通信部（第２通信部）
６４  無線通信部（第１通信部）
６６  フラッシュＲＯＭ（記憶部）
７０  コンテンツデータ
１０２、１０３、１０４  携帯電話機（他の携帯端末装置）
２００  コメント情報（第１コメント情報、第２コメント情報）
【図１】
0005407777.tif 000002
【図２】
0005407777.tif 000003
【図３】
0005407777.tif 000004
【図４】
0005407777.tif 000005
【図５】
0005407777.tif 000006
【図６】
0005407777.tif 000007
【図７】
0005407777.tif 000008
【図８】
0005407777.tif 000009
【図９】
0005407777.tif 000010
【図１０】
0005407777.tif 000011
【図１１】
0005407777.tif 000012
【図１２】
0005407777.tif 000013
【図１３】
0005407777.tif 000014